(57)【要約】【課題】視聴者への健康被害を抑えることが可能な視聴環境対応表示制御装置を実現する。【解決手段】利用者が映像を視聴する環境である視聴環境が、好適視聴環境を満たしているか否かを判定する視聴環境判定部４と、視聴環境判定部４が所定の視聴環境が満たされていないと判定した場合に、映像の表示を停止させる映像表示制御部５と、を備え、さらに、映像表示制御部５は、視聴環境判定部４が所定の視聴環境が満たされていないと判定した場合に、映像を録画させ、視聴環境判定部４が好適視聴環境が満たされていると判定した場合に、録画した映像を再生させる。【選択図】図１
2010130075.tif 000002
【特許請求の範囲】
【請求項１】
利用者が映像を視聴する環境である視聴環境が、所定の視聴環境を満たしているか否かを判定する視聴環境判定手段と、
上記視聴環境判定手段が所定の視聴環境が満たされていないと判定した場合に、映像の表示を停止させる映像表示制御手段と、を備えることを特徴とする視聴環境対応表示制御装置。
【請求項２】
映像中に現れる明滅を検出する明滅検出手段を備え、
上記映像表示制御手段は、上記明滅検出手段が単位時間当たりに所定回数以上の明滅を検出した場合に、映像を録画させると共に、録画された映像を、表示速度を遅くした状態で再生させることを特徴とする請求項１に記載の視聴環境対応表示制御装置。
【請求項３】
上記映像表示制御手段は、上記明滅検出手段が単位時間当たりの明滅が所定回数以下になったことを検出した場合に、映像の再生速度を速くさせることを特徴とする請求項２に記載の視聴環境対応表示制御装置。
【請求項４】
映像中に現れる明滅を検出する明滅検出手段と、
上記明滅検出手段が単位時間当たりに所定回数以上の明滅を検出した場合に、表示される映像の輝度を低減する輝度低減手段と、を備えることを特徴とする請求項１に記載の視聴環境対応表示制御装置。
【請求項５】
上記映像表示制御手段は、上記視聴環境判定手段が所定の視聴環境が満たされていないと判定した場合に、映像を録画させることを特徴とする請求項１から４の何れか１項に記載の視聴環境対応表示制御装置。
【請求項６】
上記映像表示制御手段は、上記視聴環境判定手段が所定の視聴環境が満たされていると判定した場合に、表示停止した映像を再生させることを特徴とする請求項１から４の何れか１項に記載の視聴環境対応表示制御装置。
【請求項７】
上記映像表示制御手段は、上記視聴環境判定手段が所定の視聴環境が満たされていると判定した場合に、録画した映像を再生させることを特徴とする請求項５に記載の視聴環境対応表示制御装置。
【請求項８】
上記視聴環境判定手段が所定の視聴環境が満たされていないと判定した場合に、上記映像表示制御手段からの命令に基づいて、視聴環境を調整するよう利用者に警告する警告手段を備えることを特徴とする請求項１から５の何れか１項に記載の視聴環境対応表示制御装置。
【請求項９】
上記映像表示制御手段は、上記視聴環境判定手段が所定の視聴環境が満たされていないと判定した場合に、任意の視聴環境を調節することが可能な視聴環境調整手段に、視聴環境を上記所定の視聴環境に調整させることを特徴とする請求項１から５、８の何れか１項に記載の視聴環境対応表示制御装置。
【請求項１０】
上記視聴環境調整手段が、上記視聴環境対応表示制御装置の外部に設けられている場合に、
上記映像表示制御手段からの命令に基づいて、上記視聴環境調整手段に所定の視聴環境を調節させるための動作信号を上記視聴環境調整手段に送信する動作信号送信手段を備えることを特徴とする請求項９に記載の視聴環境対応表示制御装置。
【請求項１１】
上記視聴環境は、照度、または利用者との距離のうち、少なくとも何れか一方であることを特徴とする請求項１から１０の何れか１項に記載の視聴環境対応表示制御装置。
【請求項１２】
上記視聴環境は、上記視聴環境対応表示制御装置に内蔵あるいは外付けされた視聴環境検出手段によって検出され、
上記視聴環境検出手段は、移動可能に設けられていることを特徴とする請求項１から１１の何れか１項に記載の視聴環境対応表示制御装置。
【請求項１３】
表示する映像の種類を判別する映像種類判別手段を備え、
上記視聴環境判定手段は、上記映像種類判別手段が判別した映像の種類に応じて、所定の視聴環境を満たしているか否かを判定することを特徴とする請求項１から１２の何れか１項に記載の視聴環境対応表示制御装置。
【請求項１４】
利用者が映像を視聴する環境である視聴環境が、所定の視聴環境を満たしているか否かを判定する視聴環境判定ステップと、
上記視聴環境判定ステップにより所定の視聴環境が満たされていないと判定された場合に、映像の表示を停止させる映像表示制御ステップと、を含むことを特徴とする視聴環境対応表示制御方法。
【請求項１５】
利用者が映像を視聴する環境である視聴環境が、所定の視聴環境を満たしているか否かを判定する視聴環境判定ステップと、
上記視聴環境判定ステップにより所定の視聴環境が満たされていないと判定された場合に、映像の表示を停止させる映像表示制御ステップと、をコンピュータに実行させるための視聴環境対応表示制御プログラム。
【請求項１６】
請求項１５に記載の視聴環境対応表示制御プログラムを記録したコンピュータ読み取り可能な記録媒体。
【請求項１７】
請求項１から１３の何れか１項に記載の視聴環境対応表示制御装置を備えることを特徴とする記録再生装置。
【発明の詳細な説明】
【技術分野】
【０００１】
本発明は、視聴環境に応じて映像の表示を制御することが可能な視聴環境対応表示制御装置ならびに視聴環境対応表示制御方法に関するものである。また、そのような視聴環境対応表示制御装置を動作させるためのプログラム、そのプログラムを記録した記録媒体、および、上記の視聴環境対応表示制御装置を備えた記録再生装置に関するものである。
【背景技術】
【０００２】
視聴者が番組を視聴する際に、周囲の明るさ（照度）が不十分であったり、テレビ等の映像表示画面までの距離が短いなど、視聴環境が適切でない場合が多い。そこで、子供がアニメ等を見る場合には、「室内を明るくしましょう」、「テレビから離れて見ましょう」といった警告を画面に出す場合がある。しかし、それでもなお、その警告を無視して不適切な視聴環境でテレビを見続ける子供は多い。同様に、大人であっても、視聴環境が悪い状態でテレビを視聴することは多い。
【０００３】
そして、家庭等においては、視聴環境を自動的に制御するシステムがないため、視聴環境が調整されないまま番組の視聴が継続される。その結果、眼痛や頭痛などの健康被害が視聴者にもたらされる。従って、テレビ等を視聴する際に、視聴者は、確実に視聴環境を調整する、あるいは自動的に視聴環境が調節されることを要する。
【０００４】
特許文献１に記載の環境形成機能付きカラオケ装置では、対応環境パターン情報記憶手段が、カラオケ曲ごとに設定された環境パターンを予め記憶している。そして、環境形成手段が、曲目に応じた環境パターンを対応環境パターン情報記憶手段から読み出して、その環境パターンを自動的に実行する。なお、環境パターンには、送風、温度調節、照明調節、臭い、映像投影、スモーク発生が含まれる。
【特許文献１】特開平８−７６７７９号公報（公開日：１９９６年３月２２日）
【発明の開示】
【発明が解決しようとする課題】
【０００５】
しかしながら、上記従来の構成では、次のような問題が生じていた。具体的には、特許文献１に記載の環境形成機能付きカラオケ装置では、予め記憶された環境パターンでしか環境形成が行われないため、利用者の視聴環境に合わせた環境パターンの調節が不可能であった。そして、上記環境形成機能付きカラオケ装置は、利用者の視聴環境が悪い場合であっても、そのまま映像の表示を継続するため、視聴者に生じる健康被害を抑止することができなかった。
【０００６】
また、テレビ画面の明るさを周囲の明るさに合わせて調整する仕組みも提案されている。しかしながら、このような仕組みでは、周囲が暗いと、画面の明るさも低下してしまう。その結果、ユーザは、明るさが低下した画面を暗い視聴環境の中で視聴しなくてはならず、眼痛や頭痛などの健康被害を防止することができなかった。
【０００７】
本発明は、上記の問題点に鑑みてなされたものであり、その目的は、視聴者への健康被害を抑えることが可能な視聴環境対応表示制御装置ならびに視聴環境対応表示制御方法、そのような視聴環境対応表示制御装置を動作させるためのプログラム、そのプログラムを記録した記録媒体、および、上記の視聴環境対応表示制御装置を備えた記録再生装置を実現することにある。
【課題を解決するための手段】
【０００８】
本発明に係る視聴環境対応表示制御装置は、上記課題を解決するために、利用者が映像を視聴する環境である視聴環境が、所定の視聴環境を満たしているか否かを判定する視聴環境判定手段と、上記視聴環境判定手段が所定の視聴環境が満たされていないと判定した場合に、映像の表示を停止させる映像表示制御手段と、を備えることを特徴としている。
【０００９】
本発明に係る視聴環境対応表示制御方法は、上記課題を解決するために、利用者が映像を視聴する環境である視聴環境が、所定の視聴環境を満たしているか否かを判定する視聴環境判定ステップと、上記視聴環境判定ステップにより所定の視聴環境が満たされていないと判定された場合に、映像の表示を停止させる映像表示制御ステップと、を含むことを特徴としている。
【００１０】
これにより、本発明に係る視聴環境対応表示制御装置及び視聴環境対応表示制御方法では、利用者が映像を視聴する視聴環境と所定の視聴環境とを比較して、視聴環境判定手段が所定の視聴環境が満たされていないと判定した場合に、映像表示制御手段が映像の表示を停止させる。それゆえ、利用者が視聴環境の悪い状態で映像を視聴している場合に、その状態で継続的に映像の視聴を行うことができないように自動的に映像の表示を停止して、利用者に眼痛や頭痛等の健康被害が生じる事態を未然に防止することができる。
【００１１】
このように、本発明に係る視聴環境対応表示制御装置及び視聴環境対応表示制御方法は、視聴環境が視聴に好適ではない場合に映像の表示を停止するため、利用者は、常に健康上問題ない視聴環境で映像を視聴することができ、それゆえ健康被害が生じる事態を未然に防止することができる。
【００１２】
さらに、本発明に係る視聴環境対応表示制御装置では、映像中に現れる明滅を検出する明滅検出手段を備え、上記映像表示制御手段は、上記明滅検出手段が単位時間当たりに所定回数以上の明滅を検出した場合に、映像を録画させると共に、録画された映像を、表示速度を遅くした状態で再生させることができる。
【００１３】
映像中に明滅の頻度が多いと、利用者に不快感を与え、ひいては眼痛や頭痛などの健康被害を引き起こす。従って、映像中に現れる明滅を検出する明滅検出手段が単位時間当たりに所定回数以上の明滅を検出した場合に、上記映像表示制御手段が映像を録画させることができれば、その録画した映像を表示速度を遅くした状態で再生させることにより、単位時間当たりの明滅回数を低減することができる。その結果、利用者が感じる不快感、あるいは健康被害を低減することができる。
【００１４】
さらに、本発明に係る視聴環境対応表示制御装置では、上記映像表示制御手段は、上記明滅検出手段が単位時間当たりの明滅が所定回数以下になったことを検出した場合に、映像の再生速度を速くさせることができる。
【００１５】
上述したように、視聴環境対応表示制御装置は、映像中に現れる明滅を検出する明滅検出手段が単位時間当たりに所定回数以上の明滅を検出した場合に、録画された映像を表示速度を遅くした状態で再生させることができる。
【００１６】
しかしながら、表示速度を遅くすると、その間は放送の録画を行う必要があり、かつ一度遅くすると利用者がテレビの視聴を終了するまで、追いかけ再生を続ける必要がある。
【００１７】
そこで、録画した映像を再生する際に、その表示速度を速めることができれば、現在の放送時間に追いつくことができ、また、録画、及び追いかけ再生の時間を最小限にすることにより、消費電力を低減することができる。
【００１８】
さらに、本発明に係る視聴環境対応表示制御装置では、映像中に現れる明滅を検出する明滅検出手段と、上記明滅検出手段が単位時間当たりに所定回数以上の明滅を検出した場合に、輝度を低減する輝度低減手段と、を備えることができる。
【００１９】
上記の構成によれば、視聴環境対応表示制御装置は、さらに、明滅検出手段が単位時間当たりに所定回数以上の明滅を検出した場合に、表示される映像の輝度を低減する輝度低減手段を備えることにより、利用者が感じる不快感、あるいは健康被害を低減することが可能となる。
【００２０】
さらに、本発明に係る視聴環境対応表示制御装置では、上記映像表示制御手段は、上記視聴環境判定手段が所定の視聴環境が満たされていないと判定した場合に、映像を録画させてもよい。
【００２１】
上記の構成によれば、視聴環境対応表示制御装置は、さらに、映像を録画させることができる。
【００２２】
よって、視聴環境が悪いために映像の表示が停止した場合であっても、表示停止となった映像を録画しておくことができ、利用者は、その間の映像を見逃すといった事態を避けることができる。
【００２３】
従って、利用者は、より利便性の高い視聴環境対応表示制御装置を得ることができる。
【００２４】
さらに、本発明に係る視聴環境対応表示制御装置では、上記視聴環境判定手段が所定の視聴環境が満たされていると判定した場合に、表示停止した映像を再生させることができる。
【００２５】
上記の構成によれば、視聴環境対応表示制御装置は、さらに、表示を停止した映像を再生させることができる。
【００２６】
よって、例えばＤＶＤ等の記録媒体から読み出した映像を表示している場合であって、視聴環境が悪いために映像の表示が停止した場合であっても、利用者は、視聴環境が適切に調節された後に、その映像を再生して視聴することができる。つまり、利用者は、常に健康上問題ない視聴環境で映像を視聴することができ、健康被害が生じる事態を未然に防止することが可能となる。
【００２７】
さらに、本発明に係る視聴環境対応表示制御装置では、上記映像表示制御手段は、上記視聴環境判定手段が所定の視聴環境が満たされていると判定した場合に、録画した映像を再生させることができる。
【００２８】
上記の構成によれば、視聴環境対応表示制御装置は、さらに、録画した映像を再生させることができる。
【００２９】
よって、テレビ放送による映像を表示している場合であって、視聴環境が悪いために映像の表示が停止した場合であっても、表示停止となった映像が録画され、利用者は、視聴環境が適切に調節された後に、その録画した映像を再生して視聴することができ、その間の映像を見逃すといった事態を避けることができる。従って、利用者は、視聴環境を調節さえすれば、その録画した映像を放送の終了を待つことなく再生することができる。つまり、利用者は、常に健康上問題ない視聴環境で映像を視聴することができ、健康被害が生じる事態を未然に防止することが可能となる。
【００３０】
さらに、本発明に係る視聴環境対応表示制御装置では、上記視聴環境判定手段が所定の視聴環境が満たされていないと判定した場合に、上記映像表示制御手段からの命令に基づいて、視聴環境を調整するよう利用者に警告する警告手段を備えることができる。
【００３１】
上記の構成によれば、視聴環境対応表示制御装置は、さらに、視聴環境を調整するよう利用者に警告する警告手段を有する。
【００３２】
従って、利用者は、その警告に従って、迅速に好適な視聴環境を実現することができる。
【００３３】
さらに、本発明に係る視聴環境対応表示制御装置では、上記映像表示制御手段は、上記視聴環境判定手段が所定の視聴環境が満たされていないと判定した場合に、任意の視聴環境を調節することが可能な視聴環境調整手段に、視聴環境を上記所定の視聴環境に調整させることができる。
【００３４】
上記の構成によれば、視聴環境対応表示制御装置は、さらに、任意の視聴環境を調節することが可能な視聴環境調整手段に、所定の視聴環境を調節させることができる。
【００３５】
従って、所定の視聴環境が自動的に調節されるため、利用者は、自ら視聴環境を調節する手間を省くことができ、しかも、常に健康上問題ない視聴環境で映像を視聴することができ、健康被害が生じる事態を未然に防止することが可能となる。
【００３６】
さらに、本発明に係る視聴環境対応表示制御装置では、上記視聴環境調整手段が、上記視聴環境対応表示制御装置の外部に設けられている場合に、上記映像表示制御手段からの命令に基づいて、上記視聴環境調整手段に所定の視聴環境を調節させるための動作信号を上記視聴環境調整手段に送信する動作信号送信手段を備えることができる。
【００３７】
上記の構成によれば、リモコン等の遠隔操作によって視聴環境を調節することが可能な視聴環境調整手段に対して、動作信号送信手段が、映像表示制御手段からの命令に基づいて、所定の視聴環境を調節するよう動作信号を送信する。
【００３８】
ここで、一例として、視聴環境調整手段が照明機器であって、その照明機器がリモコン等の遠隔操作で動作するタイプの照明機器である場合、メーカによってリモコンの周波数及び制御パターンが異なる場合がある。そのような場合に、動作信号送信手段が、メーカ各社の照明機器で使用されるリモコンの周波数及び制御パターンに合致するように動作信号を生成し、かつ、その動作信号を照明機器に送信すれば、メーカの違いによる照明機器の動作不良を抑えつつ、照明機器は、周囲視聴環境を好適視聴環境に調節することができる。
【００３９】
このように、上記構成を備えることにより、視聴環境調整手段が視聴環境対応表示制御装置の外部に設けられている場合であっても、利用者は、自ら視聴環境を調節する手間を省くことができ、しかも、常に健康上問題ない視聴環境で映像を視聴することができ、健康被害が生じる事態を未然に防止することが可能となる。
【００４０】
さらに、本発明に係る視聴環境対応表示制御装置では、上記視聴環境は、照度、または利用者との距離のうち、少なくとも何れか一方であってよい。
【００４１】
周囲の明るさ（照度）が不十分であったり、テレビ等の映像表示画面までの距離が短いといった理由により、利用者は、眼痛や頭痛などの健康被害を引き起こすことが多い。それゆえ、視聴環境を、照度、または利用者との距離のうち、少なくとも何れか一方とすることにより、利用者の健康被害を最大限に抑制することができる。
【００４２】
さらに、本発明に係る視聴環境対応表示制御装置では、上記視聴環境は、上記視聴環境対応表示制御装置に内蔵あるいは外付けされた視聴環境検出手段によって検出され、上記視聴環境検出手段は、移動可能に設けられていることができる。
【００４３】
例えば、視聴環境検出手段としての距離センサの前方に障害物が置かれている場合、その距離センサは、当該障害物が邪魔になり、利用者までの距離を正確に測定することができない。また、視聴環境検出手段が照度センサの場合であっても、その障害物が邪魔になり、周囲の照度を正確に測定することができない。
【００４４】
そこで、視聴環境検出手段を移動可能に設けることにより、たとえ障害物が視聴環境検出手段の前方に存在するような場合であっても、視聴環境検出手段を障害物の上面に配置して周囲視聴環境を測定することにより、正確に視聴環境を測定することができる。従って、確実に周囲の視聴環境を所定の視聴環境に調節することができ、その結果、利用者は、常に健康上問題ない視聴環境で映像を視聴することができ、健康被害が生じる事態を未然に防止することが可能となる。
【００４５】
さらに、本発明に係る視聴環境対応表示制御装置では、表示する映像の種類を判別する映像種類判別手段を備え、上記視聴環境判定手段は、上記映像種類判別手段が判別した映像の種類に応じて、所定の視聴環境を満たしているか否かを判定することができる。
【００４６】
上記の構成によれば、映像の種類に応じて所定の視聴環境を満たしているか否かを判断できるため、例えば、子供がアニメ番組を見る時の照度、及び子供との距離を大きく設定しておけば、子供への健康被害をより小さくすることができる。
【００４７】
それゆえ、利用者は、自身の健康被害を抑えつつ、より利便性の高い視聴環境対応表示制御装置を得ることができる。
【００４８】
なお、上記視聴環境対応表示制御装置は、コンピュータによって実現してもよく、この場合には、コンピュータを上記各手段として動作させることにより上記視聴環境対応表示制御装置をコンピュータにて実現させる視聴環境対応表示制御装置の表示制御プログラム、およびそれを記録したコンピュータ読み取り可能な記録媒体も、本発明の範疇に入る。また、上記視聴環境対応表示制御装置を備えた記録再生装置も、本発明の範疇に入る。
【発明の効果】
【００４９】
本発明に係る視聴環境対応表示制御装置は、以上のように、利用者が映像を視聴する環境である視聴環境が、所定の視聴環境を満たしているか否かを判定する視聴環境判定手段と、上記視聴環境判定手段が所定の視聴環境が満たされていないと判定した場合に、映像の表示を停止させる映像表示制御手段と、を備える構成である。
【００５０】
また、本発明に係る視聴環境対応表示制御方法は、以上のように、利用者が映像を視聴する環境である視聴環境が、所定の視聴環境を満たしているか否かを判定する視聴環境判定ステップと、上記視聴環境判定ステップにより所定の視聴環境が満たされていないと判定された場合に、映像の表示を停止させる映像表示制御ステップと、を含む構成である。
【００５１】
それゆえ、利用者が視聴環境の悪い状態で映像を視聴している場合に、その状態で継続的に映像の視聴を行うことができないように自動的に映像の表示を停止して、利用者が眼痛や頭痛等の健康被害を招く事態を未然に防止することが可能な視聴環境対応表示制御装置ならびに視聴環境対応表示制御方法、そのような視聴環境対応表示制御装置を動作させるためのプログラム、そのプログラムを記録した記録媒体、および、上記の視聴環境対応表示制御装置を備えた記録再生装置を提供することができる。
【発明を実施するための最良の形態】
【００５２】
（実施の形態１）
以下、本実施の形態に係る記録再生装置１について説明する。なお、概略説明すると、記録再生装置１は、視聴環境が悪い場合に映像の表示を停止する一方で、表示停止となった映像を録画し、視聴環境が所定の視聴環境になることで録画した映像を再生する装置である。
【００５３】
図１は、本発明の実施形態を示すものであり、記録再生装置１の要部構成を示すブロック図である。記録再生装置１は、周囲の明るさ（照度）を測定する照度センサ２（視聴環境検出手段）と、記録再生装置１と視聴者との間の距離を測定する距離センサ３（視聴環境検出手段）と、視聴者が映像を視聴する環境である視聴環境が、所定の視聴環境を満たしているか否かを判定する視聴環境判定部４（視聴環境判定手段）と、視聴環境判定部４が所定の視聴環境が満たされていないと判定した場合に、映像の表示を停止等させる映像表示制御部５（映像表示制御手段）と、記録再生装置１によって表示される映像の映像信号が入力される映像信号入力部６と、映像を録画する録画部７と、映像信号入力部６から出力された映像信号を処理して映像・音声出力部１０へ出力する信号処理部８と、映像表示制御部５からの命令に基づいて、視聴者に警告を発する警告部９（警告手段）と、信号処理部８で処理された信号を映像・音声にして外部に出力する映像・音声出力部１０と、を備える。
【００５４】
なお、後述する視聴環境設定テーブル１５は、記録再生装置１の外部の記録装置である第１記録部１７に記録される。また、録画部７が録画した映像は、記録再生装置１の外部の記録装置である第２記録部１８の番組ファイル格納部１６に記録される。
【００５５】
ここで、視聴環境について説明する。視聴環境とは、利用者が映像を視聴する際の周囲の環境のことであり、照度、及び視聴者と記録再生装置１との距離で表される。以降の説明では、照度センサ２及び距離センサ３が測定した照度及び距離を「周囲視聴環境」と総称する。また、所定の視聴環境とは、視聴者が映像を視聴するのに適した視聴環境であり、視聴環境設定テーブル１５に設定される。以降の説明では、視聴環境設定テーブル１５に設定された視聴環境を「好適視聴環境」と称する。視聴環境設定テーブル１５については、後ほど詳細に説明する。以下、上記各部の構成および動作について、より具体的に説明する。
【００５６】
照度センサ２は、周囲の明るさ（照度）を測定するために使用し、フォトトランジスタを使用するタイプ、フォトダイオードを使用するタイプ、あるいはフォトダイオードにアンプ回路を追加したタイプ等の任意の照度センサを採用することができる。
【００５７】
距離センサ３は、記録再生装置１と視聴者との間の距離を測定するために使用し、超音波型、赤外線型、あるいはレーザー型等の任意の距離センサを採用することができる。
【００５８】
なお、図示しないが、記録再生装置１は、照度センサ２又は距離センサ３の何れか一方を設ける構成でもよい。その場合、視聴環境設定テーブル１５には、使用する一方のセンサに係る好適視聴環境のみが設定される。但し、本書では、両方のセンサを使用するものとして説明する。従って、視聴環境設定テーブル１５には、照度及び距離に係る好適視聴環境が設定されている。
【００５９】
また、上記の説明では、照度センサ２及び距離センサ３を記録再生装置１の内部に設ける構成で説明した。しかしながら、各センサを記録再生装置１の外部に設け、記録再生装置１と接続する構成としてもよい。より具体的に図２を参照して説明する。
【００６０】
図２は、照度センサ、距離センサの取り付け位置を説明するための図であって、図２（ａ）は、照度センサ２及び距離センサ３を記録再生装置１に内蔵した場合を示す図であり、図２（ｂ）は、照度センサ２及び距離センサ３を記録再生装置１に外付けした場合を示す図である。
【００６１】
図２（ａ）では、照度センサ２及び距離センサ３は記録再生装置１に内蔵されている。従って、この場合、記録再生装置１を設置した位置において、周囲の照度、及び記録再生装置１と視聴者との間の距離が測定される。
【００６２】
しかしながら、例えば照度センサ２及び距離センサ３の前方に障害物が置かれている場合、各センサは、正確に視聴環境を測定することができない。そこで、図２（ｂ）に示すように、その障害物の上面に照度センサ２及び距離センサ３を配置するなどして、照度センサ２及び距離センサ３を記録再生装置１に外付けすると、より正確に視聴環境を測定することができる。
【００６３】
また、図示しないが、照度センサ２及び距離センサ３は、テレビ等の他の機器に備え付けのセンサを用いて、記録再生装置１と接続する構成であってもよい。その場合は、照度センサ及び距離センサを別途設ける必要がなくなる。
【００６４】
視聴環境判定部４は、照度センサ２及び距離センサ３から、周囲の照度及び記録再生装置１と視聴者との間の距離をそれぞれ取得する。つまり、視聴環境判定部４は、周囲視聴環境を取得する。併せて、視聴環境判定部４は、視聴環境設定テーブル１５から好適視聴環境を読み出す。そのうえで、視聴環境判定部４は、周囲視聴環境と好適視聴環境とを比較して、周囲視聴環境が好適視聴環境を満たしているか否かを判定し、その判定結果を映像表示制御部５に出力する。なお、図示しない入力装置を用いることにより、視聴環境設定テーブル１５に設定される好適視聴環境は変更可能に設定される。
【００６５】
ここで、視聴環境設定テーブル１５について図３を用いて説明する。図３は、環境設定テーブルの一例を説明するための図である。
【００６６】
図３では、視聴環境設定テーブル１５は、通常設定、設定１〜３ごとに、「照度（ルクス）」、「距離（ｍ）」、「番組の種類」が設定されている。例えば、通常設定では、照度２００ルクス、距離２．５ｍ、番組の種類は限定なし、により設定されている。つまり、通常設定では、番組の種類に関係なく、照度２００ルクス、距離２．５ｍを確保することが好適視聴環境となる。従って、周囲視聴環境が好適視聴環境を満たしていない場合、映像表示制御部５が映像の表示を停止させる。なお、その詳細については後述する。
【００６７】
一方、設定１では、照度２５０ルクス、距離３．０ｍ、番組の種類「アニメ」、に設定されている。つまり、アニメを視聴する場合には、照度２５０ルクス、距離３．０ｍを確保する必要がある。ここで、設定１及び通常設定の各条件を比較すると、照度、距離共に、設定１の方が通常設定よりも厳しい（視聴者にとって、健康被害の少ない）条件となっている。これは、アニメの視聴者は子供であることが多く、従って、子供の健康被害をできるだけ低減することを念頭に設定１の設定が行なわれているためである。
【００６８】
同様に、設定２では、番組の種類として「映画」が設定されており、照度１５０ルクス、距離２．７ｍで設定されている。通常設定に比べて設定２の照度が低く設定されている理由は、室内を暗くして、より迫力ある映像を楽しみたいという視聴者の要求に応えるためである。また、設定３では、番組の種類は「その他」で設定されている。つまり、アニメ、映画以外の番組の場合を視聴する場合、設定３の各条件が好適視聴環境として適用される。
【００６９】
このように、視聴環境設定テーブル１５では、「照度（ルクス）」、「距離（ｍ）」、「番組の種類」が、通常設定、設定１〜３ごとに設定されている。
【００７０】
なお、番組の種類を問わないときは、「番組の種類」という項目を設ける必要はない。また、設定１〜３の照度、距離、番組の種類は、視聴者が設定を適宜変更しうる構成とすることが可能である。また、設定１〜３以外にも、設定１〜１０というように、その数を増やすことも可能であり、図３の視聴環境設定テーブル１５はあくまで一例である。なお、上記説明では、テレビ番組を対象として説明したが、「番組」は、テレビ番組に限るものではなく、映画ソフト、ゲーム、撮影ビデオ映像、写真等の映像媒体全般を対象としてよい。なお、番組の種類の判定方法の詳細は、後述の実施形態で説明する。
【００７１】
ここで改めて、図１を用いて記録再生装置１の各部について説明する。映像表示制御部５は、周囲視聴環境が好適視聴環境を満たしているか否かの判定結果を視聴環境判定部４から取得する。そして、周囲視聴環境が好適視聴環境を満たしていない場合は、映像の表示を停止させるために、映像の表示を停止させる命令を示す情報を信号処理部８に送信する。
【００７２】
信号処理部８は、通常は映像信号入力部６からの映像信号を処理して、映像・音声出力部１０に映像（及び音声）を出力させる。ここで、映像信号入力部６に入力される映像信号は、録画、あるいは映画ソフトなどの場合は、記録媒体からの再生信号である。この場合、後述する録画部７における録画は必要ではない。ただし、映像信号入力部６に入力される映像信号がテレビ番組を放送する場合は、番組の受信信号となる。
【００７３】
このように、周囲視聴環境が好適視聴環境を満たしていない場合は、映像表示制御部５は、映像・音声出力部１０からの映像（及び音声）の出力を停止させるために、映像の表示を停止させる命令を示す情報を信号処理部８に送信する。
【００７４】
さらに、映像の表示を停止させるのと同時に、映像表示制御部５は、その映像を録画させる命令を示す情報を録画部７に送信する。なお、録画部７は、映像信号入力部６からの映像信号を受信して、その映像を録画する機能を備える。そして、録画部７が録画した映像は、記録再生装置１の外部の記録装置である第２記録部１８の番組ファイル格納部１６に記録される。なお、図１では、第１記録部１７と第２記録部１８とを区別して記載しているが、これらは１つの記録部であってもよい。また、図１では、第１記録部１７及び第２記録部１８を記録再生装置１の外部に設ける構成により記載しているが、共に記録再生装置１の内部に設ける構成であってもよい。
【００７５】
一方、映像表示制御部５は、周囲視聴環境が好適視聴環境を満たしていないとの判定結果を視聴環境判定部４から取得すると、「室内を明るくしましょう」、「テレビから離れて見ましょう」等の警告を表示させる命令を示す情報を警告部９に送信する。そして、その警告を表示させる命令を示す情報に基づいて、映像・音声出力部１０から上記の警告が出力される。なお、警告は、画面に表示しても、音声によって視聴者に警告しても、何れであってもよい。
【００７６】
そして、映像表示制御部５は、周囲視聴環境が好適視聴環境を満たしているとの判定結果を視聴環境判定部４から取得した場合は、次のような動作を示す。なお、その判定結果を取得した段階では、録画部７は映像の録画を継続している。
【００７７】
映像表示制御部５は、周囲視聴環境が好適視聴環境を満たしているとの判定結果を視聴環境判定部４から取得した場合、信号処理部８に対して、録画した映像を再生させる命令を示す情報を送信する。この録画した映像を再生させる命令を示す情報に基づいて、信号処理部８は、番組ファイル格納部１６に格納された映像信号を読み出し、その読み出した映像信号を処理したうえで、映像・音声出力部１０に映像（及び音声）を出力させる。なお、この段階で、録画部７は映像の録画を継続している。
【００７８】
このように、記録再生装置１は、視聴者が映像を視聴する周囲視聴環境と好適視聴環境とを比較して、視聴環境判定部４が好適視聴環境が満たされていないと判定した場合に、映像表示制御部５が映像の表示を停止させるように機能する。そして、周囲視聴環境が悪いために映像の表示が停止した場合であっても、表示停止となった映像を録画し、周囲視聴環境が好適視聴環境を満たすことで、録画した映像を再生する。また、視聴環境判定部４が好適視聴環境が満たされていないと判定した場合には、その警告を画面に表示させる命令を示す情報に基づいて、「室内を明るくしましょう」、「テレビから離れて見ましょう」といった警告が画面に表示される（あるいは音声出力される）。
【００７９】
次に、図４を参照しながら、記録再生装置１による処理の流れを説明する。図４は、記録再生装置１による処理の流れを示すフローチャートである。
【００８０】
まず、ステップＳ１は、記録再生装置１の電源がオンとなった状態である。このとき、画面上に映像が出力される。
【００８１】
次に、ステップＳ３では、照度センサ２及び距離センサ３が、周囲の照度、及び視聴者と記録再生装置１との距離である周囲視聴環境を測定し、その結果を視聴環境判定部４に出力する。
【００８２】
そして、ステップＳ５では、視聴環境判定部４が、照度センサ２及び距離センサ３による測定結果に基づいて、周囲視聴環境が好適視聴環境を満たしているか否かを判定し、その判定結果を映像表示制御部５に出力する。なお、視聴環境判定部４は、視聴環境設定テーブル１５から好適視聴環境を読み出したうえで、周囲視聴環境と好適視聴環境とを比較する。
【００８３】
なお、照度センサ２及び距離センサ３の測定順序、あるいは照度及び距離についての周囲視聴環境と好適視聴環境との比較順序は特に限定されない。つまり、照度及び距離を同時に測定・比較してもよく、あるいは先に照度、後から距離について、若しくはその逆の順序で、周囲視聴環境と好適視聴環境とを比較してもよい。図４では、照度及び距離を同時に測定・比較するものとして説明する。
【００８４】
ステップＳ７（ステップＳ５にてＹＥＳ）では、周囲視聴環境が好適視聴環境を満たしているとの判定結果に基づき、映像表示制御部５が映像の表示を継続させ、その結果、視聴者は映像を視聴し続けることができる。但し、図示しないが、視聴者の健康被害を抑えるために、その後も定期的に視聴環境が測定されることが好ましい。従って、ステップＳ７に進んだ後も、ステップＳ３（もしくは、後述するステップＳ１７）に進む構成としてもよい。
【００８５】
ここで、定期的とは、例えば１０分に１回でも、１時間に１回でもよく、視聴者が予め適宜設定することができるものとする。又は、一定の時間間隔ではなく、番組を選択する度に視聴環境を測定するようにしてもよい。なお、以降の説明において、「定期的に視聴環境を測定する」という場合は、上述した内容を意味するものとする。
【００８６】
ステップＳ９（ステップＳ５にてＮＯ）では、周囲視聴環境が好適視聴環境を満たしていないとの判定結果に基づき、映像表示制御部５が映像の表示を停止させる。これは、映像表示制御部５が、映像の表示を停止させるために、映像の表示を停止させる命令を示す情報を信号処理部８に送信する結果による。
【００８７】
また、このとき、映像表示制御部５は、その映像を録画させる命令を示す情報を録画部７に送信し、録画部７は、その映像を録画させる命令を示す情報に基づき、表示が停止した映像の録画を開始する。なお、その録画した映像（映像信号）は、番組ファイル格納部１６に記録される。
【００８８】
さらに、このとき、映像表示制御部５は、警告部９に対して、「室内を明るくしましょう」、「テレビから離れて見ましょう」といった警告を画面に表示させる命令を示す情報を送信する。そして、その警告を画面に表示させる命令を示す情報に基づいて、映像・音声出力部１０から上記の警告が出力される。なお、警告は、音声によって出力する構成としてもよい。
【００８９】
続いて、ステップＳ１１では、照度センサ２及び距離センサ３が、周囲の照度、及び視聴者と画面との距離である周囲視聴環境を再び測定し、その測定結果を視聴環境判定部４に出力する。
【００９０】
次に、ステップＳ１３では、視聴環境判定部４が、照度センサ２及び距離センサ３の出力結果に基づいて、周囲視聴環境が好適視聴環境を満たしているか否かを判定し、その判定結果を映像表示制御部５に出力する。
【００９１】
そして、ステップＳ１５（ステップＳ１３にてＹＥＳ）では、周囲視聴環境が好適視聴環境を満たしているとの判定結果に基づき、映像表示制御部５が録画した映像の再生をさせる。従って、映像表示制御部５が、録画した映像を再生させるために、信号処理部８に対して、録画した映像を再生させる命令を示す情報を送信する。この録画した映像を再生させる命令を示す情報に基づいて、信号処理部８は、番組ファイル格納部１６から録画した映像（映像信号）を読み出し、その読み出した映像（映像信号）を処理したうえで、映像・音声出力部１０に映像（及び音声）を出力させる。なお、この段階で、録画部７は映像の録画を継続している。
【００９２】
また、このとき、映像表示制御部５は、警告部９に対して、画面に表示されていた警告の表示を止める命令を示す情報を送信し、それにより、ステップＳ９で設定された警告状態が解除される。
【００９３】
ここで、ステップＳ１３において、周囲視聴環境が好適視聴環境を満たしていないとの判定がされた場合、再びステップＳ１１へ戻り、視聴環境の測定が行われる。これは、視聴環境が好適視聴環境を満たすまで、映像の表示を行わないようにするためであり、視聴者の健康被害を抑えるためである。
【００９４】
次にステップＳ１７について説明する。記録再生装置１は、視聴者の健康被害を最小限に抑えるため、視聴環境の測定を定期的に行う。従って、ステップＳ１５において録画した映像が再生され、警告が解除された後であっても、視聴環境の測定が定期的に行われる。
【００９５】
そして、ステップＳ１９では、視聴環境判定部４が、照度センサ２及び距離センサ３の出力結果に基づいて、周囲視聴環境が好適視聴環境を満たしているか否かを判定し、その判定結果を映像表示制御部５に出力する。
【００９６】
映像表示制御部５は、周囲視聴環境が好適視聴環境を満たしていないと判定した場合に、ステップＳ９で説明した方法と同様の方法によって、表示停止、及び警告させる（ステップＳ２１）。なお、ステップＳ２１に進むと、次はステップＳ１１に戻り、上述した流れに沿って処理が行われる。
【００９７】
また、周囲視聴環境が好適視聴環境を満たしていると判定された場合（ステップＳ１９にてＹＥＳ）であっても、記録再生装置１の電源をオフにするまでは、照度センサ２及び距離センサ３が周囲視聴環境を定期的に測定するように設定してもよい。
【００９８】
このような流れで記録再生装置１による処理が行われる。
【００９９】
次に、上記構成において、本実施の形態に係る記録再生装置１によって得られる効果を説明する。
【０１００】
記録再生装置１では、周囲視聴環境と好適視聴環境とを比較して、視聴環境判定部４が好適視聴環境が満たされていないと判定した場合に、映像表示制御部５が映像の表示を停止させる。それゆえ、利用者が視聴環境の悪い状態で映像を視聴している場合に、その状態で継続的に映像の視聴できないように自動的に映像の表示を停止して、利用者が眼痛や頭痛等の健康被害を招く事態を未然に防止することができる。
【０１０１】
さらに、記録再生装置１では、視聴環境が悪いために映像の表示が停止した場合であっても、表示停止となった映像を録画しておくことができる。そして、周囲視聴環境が好適視聴環境になることで、録画した映像を再生することができる。従って、映像の表示が停止しても、視聴者はその間の映像を見逃すことはない。それゆえ、視聴者は、視聴環境を調節さえすれば、追いかけ再生によりその録画した映像を放送の終了を待つことなく再生することがでる。
【０１０２】
なお、記録媒体から読み出した映像を表示する場合は、映像を録画する必要はない。しかしながら、視聴環境が悪いためにその映像の表示が停止した場合には、視聴者は、視聴環境が適切に調節された後に、その映像を再生して視聴することができる。
【０１０３】
また、記録再生装置１は警告部９を備えており、警告部９は、視聴環境を調整するよう利用者に警告する。従って、視聴者は、警告に基づいて、好適な視聴環境を迅速に実現することができる。そして、視聴環境を調整して好適視聴環境を満たすことで、録画した映像を再生することができ、映像の表示が停止していた状態を解除できる。
【０１０４】
ここで、視聴環境は、照度、または利用者との距離のうち、少なくとも何れか一方としている。それは、周囲の明るさ（照度）が不十分であったり、テレビ等の映像表示画面までの距離が短いといった理由により、テレビ番組等の視聴者は、眼痛や頭痛などの健康被害を引き起こすことが多いためである。従って、視聴環境を、照度、または利用者との距離のうち少なくとも何れか一方とすることにより、視聴者の健康被害を最大限に抑制することができるためである。
【０１０５】
そして、照度、または利用者との距離は、記録再生装置１に内蔵あるいは外付けされた照度センサ２、あるいは距離センサ３によって検出され、それらは移動可能に設けることが好ましい（図２（ｂ）参照）。照度センサ２、あるいは距離センサ３を適宜移動させることができれば、例えば記録再生装置１の前方に障害物が存在する場合であっても、その障害物の上面に照度センサ２、あるいは距離センサ３を配置することができる。その結果、より正確に周囲視聴環境を測定でき、確実に周囲視聴環境を好適視聴環境に調節することができる。それゆえ、利用者は、常に健康上問題ない視聴環境で映像を視聴することができ、健康被害が生じる事態を未然に防止することが可能となる。
（実施の形態２）
以下、本実施の形態に係る記録再生装置２０について、図５を参照して説明する。図５は、本発明の他の実施形態を示すものであり、記録再生装置２０の要部構成を示すブロック図である。ここで、概略説明すると、記録再生装置２０は、視聴環境が悪い場合に映像の表示を停止する一方で、任意の視聴環境を調節することが可能な視聴環境調整部に、視聴環境を好適視聴環境に調整させる装置である。なお、図１を参照して前述した構成要素と同一の構成要素には同一の参照符号を付している。従って、これらの構成要素の詳細な説明は省略する。
【０１０６】
映像表示制御部５は、周囲視聴環境が好適視聴環境を満たしているか否かの判定結果を視聴環境判定部４から取得する。そして、周囲視聴環境が好適視聴環境を満たしていない場合、映像表示制御部５は、任意の視聴環境を調節することが可能な照明機器２５（視聴環境調整手段）に対して、視聴環境を好適視聴環境に調整させる命令を示す情報を送信する。この命令に基づいて、照明機器２５は、視聴環境を好適視聴環境に調整することができる。なお、照明機器２５は、照明機器そのものである必要はなく、照明機器に接続したネットワークサーバであってもよい。但し、ここでは、参照番号２５は照明機器であるものとして説明する。
【０１０７】
また、周囲視聴環境が好適視聴環境を満たしていない場合、映像表示制御部５は、映像の表示を停止させる命令を示す情報を信号処理部８に送信すると共に、その映像を録画させる命令を示す情報を録画部７に送信する。さらに、映像表示制御部５は、警告部９に対して、「室内を明るくしましょう」、「テレビから離れて見ましょう」といった警告を画面に表示させる命令を示す情報を送信する。
【０１０８】
このように、記録再生装置２０は、視聴環境設定テーブル１５に設定された照度を照明機器２５によって自動的に実現し、それが達成されるまでの間、表示停止となった映像を録画する。そして、記録再生装置２０は、視聴環境設定テーブル１５に設定された照度が照明機器２５によって得られると、録画した映像を再生する。
【０１０９】
次に、図６を参照しながら、記録再生装置２０による処理の流れを説明する。図６は、記録再生装置２０による処理の流れを示すフローチャートである。なお、図４を参照して説明した記録再生装置１による処理と同一の処理には同一のステップ番号を付している。従って、これらのステップの詳細な説明は省略する。
【０１１０】
ステップＳ５において、周囲視聴環境が好適視聴環境を満たしていないとの判定結果となった場合（ステップＳ５にてＮＯの場合）、ステップＳ１０に進む。ステップＳ１０では、映像表示制御部５は、映像の表示を停止させるため、映像の表示を停止させる命令を示す情報を信号処理部８に送信する。また、映像表示制御部５は、その映像を録画させる命令を示す情報を録画部７に送信し、録画部７は、その映像を録画させる命令を示す情報に基づき、表示停止となった映像の録画を開始する。さらに、映像表示制御部５は、警告部９に対して、「室内を明るくしましょう」、「テレビから離れて見ましょう」といった警告を画面に表示させる命令を示す情報を送信する。
【０１１１】
さらに、映像表示制御部５は、視聴環境を好適視聴環境に調整させる命令を示す情報を、任意の視聴環境を調節することが可能な照明機器２５に送信する。この命令に基づいて、照明機器２５は、周囲視聴環境を好適視聴環境に調整する。
【０１１２】
同様に、図６のステップＳ２２（ステップＳ１９にてＮＯの場合）では、周囲視聴環境が好適視聴環境を満たしていないとの判定結果に基づき、映像表示制御部５は、表示停止、警告に加え、視聴環境を好適視聴環境に調整させる命令を示す情報を、任意の視聴環境を調節することが可能な照明機器２５に送信する。
【０１１３】
このように、本実施の形態に係る記録再生装置２０は、任意の視聴環境を調節することが可能な照明機器２５に、周囲視聴環境を好適視聴環境に調節させることができる。
【０１１４】
従って、所定の視聴環境が自動的に調節されるため、視聴者は、自身の健康被害を抑えつつ、より利便性の高い記録再生装置を得ることができる。
【０１１５】
なお、図５では、照明機器２５は、記録再生装置２０の外部に設けられている。しかしながら、照明機器２５は、記録再生装置２０に含まれる構成とすることも可能である。
【０１１６】
また、上記の説明では、好適視聴環境として照度のみについて言及している。しかしながら、例えば、映像表示制御部５と電気的に接続した車輪部が記録再生装置２０に設けられているような場合であって、視聴者と記録再生装置２０との距離が近い場合には、映像表示制御部５は、その車輪部を動作(移動)させる命令を示す情報を当該車輪部に送信し、その命令に基づいて、記録再生装置２０と視聴者との間の距離を車輪部が適宜調節する構成も可能である。従って、図５には図示していないが、好適視聴環境の調節手段として、照明機器２５に加え、記録再生装置２０に車輪部を設ける構成とすることもできる。
（実施の形態３）
以下、本実施の形態に係る記録再生装置３０について、図７を参照して説明する。図７は、本発明の他の実施形態を示すものであり、記録再生装置３０の要部構成を示すブロック図である。概略説明すると、記録再生装置３０は、照明機器２５が記録再生装置３０の外部に設けられている場合に、映像表示制御部５からの命令に基づいて、好適視聴環境を調節させるための動作信号を照明機器２５に送信する動作信号送信部３５を備える。なお、図１、図５を参照して前述した構成要素と同一の構成要素には同一の参照符号を付している。従って、これらの構成要素の詳細な説明は省略する。
【０１１７】
映像表示制御部５は、周囲視聴環境が好適視聴環境を満たしているか否かの判定結果を視聴環境判定部４から取得する。そして、周囲視聴環境が好適視聴環境を満たしていない場合、映像表示制御部５は、動作信号送信部３５（動作信号送信手段）に対して、照明機器２５に周囲視聴環境を好適視聴環境に調節させる命令を示す情報を送信する。なお、照明機器２５は、周囲視聴環境を任意の視聴環境を調節することが可能であり、かつ記録再生装置３０の外部に設けられている。そして、照明機器２５は、リモコン等を用いて遠隔操作可能に設けられている。
【０１１８】
動作信号送信部３５は、映像表示制御部５からの命令に基づいて、周囲視聴環境を好適視聴環境に調節させるための動作信号を照明機器２５に送信する。なお、動作信号を送信する理由は次の通りである。つまり、照明機器２５がリモコン等の遠隔操作で動作するタイプの照明機器である場合、メーカによってリモコンの周波数及び制御パターンが異なる場合がある。そこで、動作信号送信部３５が、各社の照明機器のリモコンの周波数及び制御パターンに合致するように動作信号を生成し、その動作信号を照明機器２５に送信することにより、照明機器２５は、メーカの違いによる照明機器２５の動作不良を抑えつつ、周囲視聴環境を好適視聴環境に調節することができる。
【０１１９】
なお、各メーカの照明機器のリモコンの周波数及び制御パターンは、予めテーブルとして保持しておき、初期設定時にメーカや照明の種類を視聴者に入力させる設定にしてもよい。また、動作信号送信部３５が各種の信号をテストとして送信し、照度センサと連携して照度が変化しているかを検出し、照明がリモコン操作に対応しているかどうかや、周波数及び制御パターンを識別するようにしてもよい。
【０１２０】
なお、記録再生装置３０の処理の流れは、図６を用いて説明した記録再生装置２０の処理の流れと同様である。つまり、図６には照明機器による調節というステップＳ１０、Ｓ２２が含まれているが、このステップＳ１０、Ｓ２２が、動作信号送信部３５から受信した動作信号に基づいて、照明機器２５が周囲視聴環境を好適視聴環境を調節するステップに該当する。
【０１２１】
以上のように、記録再生装置３０は、動作信号送信部３５を備えることにより、照明機器２５を自動的に制御することができる。その結果、記録再生装置３０では、照明への有線接続やホームネットワークへの接続が不要となり、そのための設備費を削減することができる。
（実施の形態４）
以下、本実施の形態に係る記録再生装置４０について、図８を参照して説明する。図８は、本発明の他の実施形態を示すものであり、記録再生装置４０の要部構成を示すブロック図である。概略説明すると、記録再生装置４０は、映像中に現れる明滅を検出する明滅検出部４１を備え、明滅検出部４１が単位時間当たりに所定回数以上の明滅を検出した場合に、映像を録画等する装置である。なお、図１等を参照して前述した構成要素と同一の構成要素には同一の参照符号を付している。従って、これらの構成要素の詳細な説明は省略する。
【０１２２】
記録再生装置４０は、さらに明滅検出部４１（明滅検出手段）と、表示速度調節部４２と、輝度低減部４３（輝度低減手段）と、を備える。
【０１２３】
明滅検出部４１は、信号処理部８から出力された映像信号によって表示される映像中に現れる明滅回数を検出するものであり、信号処理部８と映像・音声出力部１０との間に設けられる。なお、明滅とは、輝度変化が１０パーセント以上であって、その割合で輝度変化が同時に発生する面積が画面全体の１／４を越える状態のことを指す。ただし、輝度変化が１５％であって、その割合で輝度変化が同時に発生する面積が画面全体の１／３を超える状態のことを明滅状態と定義してもよく、必ずしも上記各数値に限られるものではない。
【０１２４】
あるいは、次の（１）〜（３）を基準とし、これを超えるものを明滅として検出してもよい。
（１）鮮やかな赤色の明滅を避けた上で、明滅は、１秒間に５回以内、輝度変化が２０パーセント以下、連続して２秒を超えない。
（２）コントラストの強い画面の反転や輝度変化が２０パーセントを超える急激な場面転換が１秒間に３回以内。
（３）規則的なパターン模様（縞模様、渦巻き模様、同心円模様など）が画面の大部分を占めているものを避ける。
【０１２５】
上記の各数値は、日本放送協会と日本民間放送連盟が１９９８年４月８日に作成し、２００６年４月１日に一部改訂した＜アニメーション等の映像手法に関するガイドライン＞に基づいている。このガイドラインは、視聴者の健康を及ぼすことを避けるために、放送業界が策定したものである。これらの基準より明滅を低減する方向に数値を設定することで、視聴環境対応表示制御装置として健康への影響を及ぼすリスクを下げることも可能である。
【０１２６】
そして、明滅検出部４１は、信号処理部８から出力された映像信号によって表示される映像中に単位時間当たりに所定回数以上の明滅を検出した場合は、単位時間当たりに所定回数以上の明滅を検出したことを示す情報を映像表示制御部５に送信する。なお、単位時間当たりに所定回数以上の明滅を検出しなかった場合は、信号処理部８は、そのまま映像・音声出力部１０に映像（及び音声）を出力させる。
【０１２７】
なお、上述した所定回数とは、ユーザの健康への影響を防止するため、１秒間に３回以内であるものとする。ただし、鮮やかな赤色の点滅、コントラストの強い画面の反転、カメラフラッシュ、雷光、あるいは火災などの映像は、特に健康に影響を及ぼす可能性があるため、そのようなケースを考慮して、所定の回数を１秒間に２回以内としてもよく、必ずしも上記各数値に限られるものではない。
【０１２８】
映像表示制御部５は、単位時間当たりに所定回数以上の明滅を検出したことを示す情報を受信した場合に、録画部７に映像を録画させる。そして、録画部７が録画した映像は、記録再生装置１の外部の記録装置である第２記録部１８の番組ファイル格納部１６に記録される。そして、映像表示制御部５は、録画した映像を再生させる命令を示す情報を信号処理部８に送信する。この録画した映像を再生させる命令を示す情報に基づいて、信号処理部８は、録画した映像（映像信号）を番組ファイル格納部１６から読み出し、その読み出した映像信号を処理したうえで、表示速度調節部４２に出力する。
【０１２９】
表示速度調節部４２は、信号処理部８において処理された映像信号を受信すると共に、録画した画像を表示速度を遅くした状態で再生させる命令を示す情報を映像表示制御部５から受信する。そして、表示速度調節部４２は、これら２つの入力を受けて、録画した画像を、表示速度を遅くして再生する処理を施したうえで、映像・音声出力部１０に処理後の信号を出力し、映像・音声出力部１０に映像・音声の出力をさせる。なお、再生を遅くさせる程度であるが、視聴者の健康被害の観点から、明滅検出部４１での明滅の検出が１秒間に３回以下となるように調節することが好ましい。また、周囲の明るさ（照度）に関係なく明滅を検出する構成とすれば、視聴者の健康被害をより少なくすることができる。
【０１３０】
なお、表示速度調節部４２と映像・音声出力部１０との間に、輝度低減部４３を設ける構成とすることもできる。輝度低減部４３は、画面の輝度を所定の割合以下（例えば２０％以下）になるように低減するものであり、輝度低減部４３にて映像中の輝度を低減し、その処理後の映像信号を映像・音声出力部１０に出力し、映像・音声出力部１０に映像・音声の出力をさせる。これにより視聴者が感じる不快感、あるいは健康被害を低減することができる。なお、輝度の低減は、バックライトから照射される光を制御する、各画素の放電量を制御する、あるいは各画素の光の透過量を制御することにより実現される。
【０１３１】
なお、映像表示制御部５は、単位時間当たりに所定回数以上の明滅を検出したことを示す情報を受信した場合に、「明滅が多いです」といった警告を画面に表示させる命令を示す情報を警告部９に送信する構成としてもよい。これにより、視聴者は、視聴する映像が眼痛や頭痛を引き起こしやすい映像であることを認識できる。
【０１３２】
次に、図９を参照しながら、記録再生装置４０の処理の流れを説明する。図９は、記録再生装置４０の処理の流れを示すフローチャートである。なお、図９では、周囲視聴環境は、好適視聴環境を満たしているものとして説明する。
【０１３３】
まず、ステップＳ３０は、画面上に映像が表示されている状態を示す。
【０１３４】
そして、ステップＳ３２では、明滅検出部４１が、信号処理部８から出力された映像信号によって表示される映像中に現れる明滅回数を検出する。そして、信号処理部８から出力された映像信号によって表示される映像中に現れる明滅の回数が単位時間当たりに所定回数よりも少なければ（ステップＳ３２にてＮＯ）、そのまま映像の表示が継続される（ステップＳ３４）。一方、明滅の回数が単位時間当たりに所定回数以上であれば（ステップＳ３２にてＹＥＳ）、ステップＳ３６に進む。
【０１３５】
ステップＳ３６では、明滅検出部４１が、信号処理部８から出力された映像信号によって表示される映像中に現れる明滅回数が、単位時間当たりに所定回数以上となることを検出した場合に該当する。この場合、明滅検出部４１は、信号処理部８から出力された映像信号によって表示される映像中に現れる明滅回数が単位時間当たりに所定回数以上となることを示す情報を映像表示制御部５に送信する。映像表示制御部５は、単位時間当たりに所定回数以上の明滅を検出したことを示す情報を受信した場合に、録画部７に映像を録画させる。なお、録画部７が録画した映像（映像信号）は、記録再生装置１の外部の記録装置である第２記録部１８の番組ファイル格納部１６に記録される。
【０１３６】
同時に、ステップＳ３６では、映像表示制御部５が、単位時間当たりに所定回数以上の明滅を検出したことを示す情報を受信した場合に、「明滅が多いです」といった警告を画面に表示させる命令を示す情報を警告部９に送信し、警告部９は、その警告を画面に表示させる命令を示す情報に基づき、「明滅が多いです」といった警告を画面上に表示（もしくは音声により出力）する。
【０１３７】
続いて、ステップＳ３８では、映像表示制御部５は、録画した映像を再生させる命令を示す情報を信号処理部８に送信する。この録画した映像を再生させる命令を示す情報に基づいて、信号処理部８は、録画した映像（映像信号）を番組ファイル格納部１６から読み出し、その読み出した映像信号を処理したうえで、表示速度調節部４２に出力する。表示速度調節部４２は、信号処理部８において処理された映像信号を受信すると共に、録画した画像を表示速度を遅くした状態で再生させる命令を示す情報を映像表示制御部５から受信する。そして、表示速度調節部４２は、これら２つの入力を受けて、録画した画像を、表示速度を遅くして再生させる処理を施したうえで、映像・音声出力部１０に処理後の信号を出力し、映像・音声出力部１０が映像・音声を出力する。その結果、映像・音声出力部１０は、録画した映像を再生する（ステップＳ４２）。
【０１３８】
なお、記録再生装置４０が輝度低減部４３を備える場合は、ステップＳ３８に続いてステップＳ４０に進む。
【０１３９】
ステップＳ４０では、輝度低減部４３が、表示速度調節部４２から出力された映像信号に対して、所定の割合だけ輝度を低減させる輝度低減処理を施す。そして、輝度低減部４３は、輝度低減処理後の信号を映像・音声出力部１０に出力する（ステップ４２）。
【０１４０】
このように、本実施の形態に係る記録再生装置４０は、映像中に現れる明滅を検出する明滅検出部４１を備え、映像表示制御部５は、明滅検出部４１が単位時間当たりに所定回数以上の明滅を検出した場合に、映像を録画させると共に、録画された映像を、表示速度を遅くした状態で再生させることができる。
【０１４１】
本実施の形態に係る記録再生装置４０によって得られる効果は以下の通りである。
【０１４２】
映像中の明滅の頻度が多いと、視聴者に不快感を与えると共に、眼痛や頭痛などの健康被害を引き起こすことが多い。従って、映像中に現れる明滅を検出する明滅検出部４１が単位時間当たりに所定回数以上の明滅を検出した場合に、映像表示制御部５が映像を録画させることができれば、その録画した映像を表示速度を遅くした状態で再生させることで、単位時間当たりの明滅回数を低減することができる。その結果、視聴者が感じる不快感、あるいは健康被害を低減することができる。
【０１４３】
ここで、映像表示制御部５は、明滅検出部４１が単位時間当たりの明滅が所定回数以下になったことを検出した場合に、映像の再生速度を速くさせる命令を示す情報を表示速度調節部４２に送信する構成とすることも可能である。これにより、その映像の再生速度を速くさせる命令を示す情報を受信した表示速度調節部４２が、録画した画像を、表示速度を早くして再生させる処理を施したうえで、映像・音声出力部１０に処理後の信号を出力し、映像・音声出力部１０が映像・音声を出力する。
【０１４４】
上記の構成によって、以下の効果が得られる。つまり、表示速度を遅くすると、その間は放送の録画を行う必要があり、かつ一度遅くすると視聴者がテレビの視聴を終了するまで、追いかけ再生を続ける必要がある。しかしながら、録画した映像を再生する際に、その表示速度を速めることができれば、現在の放送時間に追いつくことができ、また、録画、及び追いかけ再生の時間を最小限にすることにより、消費電力を低減することができる。
【０１４５】
さらに、記録再生装置４０は、明滅検出部４１が単位時間当たりに所定回数以上の明滅を検出した場合のために、輝度を低減する輝度低減部４３を備えてもよい。輝度低減部４３が映像中の輝度を低減することにより、視聴者が感じる不快感、あるいは健康被害をさらに軽減することができる。
（実施の形態５）
以下、本実施の形態に係る記録再生装置５０について、図１０を参照して説明する。図１０は、本発明の他の実施形態を示すものであり、記録再生装置５０の要部構成を示すブロック図である。概略説明すると、記録再生装置５０は、表示する映像の種類を判別する映像種類判別部５１を備え、視聴環境判定部４は、映像種類判別部５１が判別した映像の種類に応じて、好適視聴環境を満たしているか否かを判定する装置である。なお、図１等を参照して前述した構成要素と同一の構成要素には同一の参照符号を付している。従って、これらの構成要素の詳細な説明は省略する。
【０１４６】
記録再生装置５０は、表示する映像の種類を判別することが可能な映像種類判別部５１を備える。ここで、映像の種類とは、例えば図３を参照して説明した「番組の種類」に該当し、アニメ、スポーツ、ニュース、音楽等の種類を意味する。記録再生装置５０が映像（番組）の種類を判別する方法は、例えば、インターネットなどを通じて提供される放送番組表データ（電子番組ガイド：Ｅｌｅｃｔｒｏｎｉｃ Ｐｒｏｇｒａｍ Ｇｕｉｄｅ）の情報に基づいて、当該番組がアニメ、スポーツ、ニュース、音楽等の何れに該当するかを判別するといった方法が考えられる。
【０１４７】
そして、視聴環境判定部４は、映像種類判別部５１が判別した映像の種類に応じて、周囲視聴環境が好適視聴環境を満たしているか否かを判定する。例えば、映像種類判別部５１が、表示される映像がアニメであると判別した場合に、図３の視聴環境設定テーブル１５から設定１（照度２５０ルクス、距離３．０ｍ、番組の種類「アニメ」）による好適視聴環境を読み出し、その好適視聴環境と周囲視聴環境とを比較する。
【０１４８】
このようにして、映像の種類に応じて、その映像の種類に対応する好適視聴環境が満たされているか否かが判断できるため、例えば、子供がアニメ番組を見る時の照度、及び画面との距離を従来よりも大きく設定しておけば、子供への健康被害をより小さくすることができる。それゆえ、視聴者は、自身の健康被害を抑えつつ、より利便性の高い記録再生装置を得ることができる。
【０１４９】
最後に、本実施の形態に係る記録再生装置は、記録再生機能を備えた記録再生装置に限らず、そのような機能を備えた、液晶テレビ、プラズマテレビ、あるいは有機ＥＬテレビプロジェクタ等の映像表示装置に含まれる構成であってもよい。
【０１５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５１】
最後に、記録再生装置１、２０、３０、４０、５０の各ブロックは、ハードウェアロジックによって構成してもよいし、次のようにＣＰＵを用いてソフトウェアによって実現してもよい。
【０１５２】
すなわち、記録再生装置１、２０、３０、４０、５０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである記録再生装置１、２０、３０、４０、５０の制御プログラムのプログラムコード（実行形式プログラム、中間コードプログラム、ソースプログラム）をコンピュータで読み取り可能に記録した記録媒体を、上記記録再生装置１、２０、３０、４０、５０に供給し、そのコンピュータ（またはＣＰＵやＭＰＵ）が記録媒体に記録されているプログラムコードを読み出し実行することによっても、達成可能である。
【０１５３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／ＢＤ−ＲＯＭ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５４】
また、記録再生装置１、２０、３０、４０、５０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５５】
本発明は、視聴環境に応じて映像の表示を制御することが可能な視聴環境対応表示制御装置ならびに視聴環境対応表示制御方法に適用できる。また、そのような視聴環境対応表示制御装置を動作させるためのプログラム、そのプログラムを記録した記録媒体、および、上記の視聴環境対応表示制御装置を備えた記録再生装置に適用できる。
【図面の簡単な説明】
【０１５６】
【図１】本発明の実施形態を示すものであり、記録再生装置の要部構成を示すブロック図である。
【図２】照度センサ、距離センサの取り付け位置を説明するための図であり、（ａ）は、照度センサ及び距離センサを記録再生装置に内蔵した場合を示す図であり、（ｂ）は、照度センサ及び距離センサを記録再生装置に外付けした場合を示す図である。
【図３】環境設定テーブルの一例を説明するための図である。
【図４】本発明の実施形態に係る記録再生装置による処理の流れを示すフローチャートである。
【図５】本発明の他の実施形態を示すものであり、記録再生装置の要部構成を示すブロック図である。
【図６】本発明の他の実施形態に係る記録再生装置の処理の流れを示すフローチャートである。
【図７】本発明の他の実施形態を示すものであり、記録再生装置の要部構成を示すブロック図である。
【図８】本発明の他の実施形態を示すものであり、記録再生装置の要部構成を示すブロック図である。
【図９】本発明の他の実施形態に係る記録再生装置の処理の流れを示すフローチャートである。
【図１０】本発明の他の実施形態を示すものであり、記録再生装置の要部構成を示すブロック図である。
【符号の説明】
【０１５７】
１、２０、３０、４０、５０  記録再生装置
２  照度センサ（視聴環境検出手段）
３  距離センサ（視聴環境検出手段）
４  視聴環境判定部（視聴環境判定手段）
５  映像表示制御部（映像表示制御手段）
６  映像信号入力部
７  録画部
８  信号処理部
９  警告部（警告手段）
１０  映像・音声出力部
１５  視聴環境設定テーブル
１６  番組ファイル格納部
１７  第１記録部
１８  第２記録部
２５  照明機器（視聴環境調整手段）
３５  動作信号送信部（動作信号送信手段）
４１  明滅検出部（明滅検出手段）
４２  表示速度調節部
４３  輝度低減部（輝度低減手段）
５１  映像種類判別部（映像種類判別手段）
【図１】
2010130075.tif 000003
【図２】
2010130075.tif 000004
【図３】
2010130075.tif 000005
【図４】
2010130075.tif 000006
【図５】
2010130075.tif 000007
【図６】
2010130075.tif 000008
【図７】
2010130075.tif 000009
【図８】
2010130075.tif 000010
【図９】
2010130075.tif 000011
【図１０】
2010130075.tif 000012